(57)【特許請求の範囲】
【請求項１】
対象物を紐で連結するための引掛け具とその取付構造であって、引掛け部と蓋部から成る引掛け具は、コの字形の引掛け部の一方の端が蓋部の下面と一体に繋がって、他方の端が蓋部の下面との間に少なくとも紐を通せる隙間を有しており、引掛け具が取付けられる取付面に設けた取付孔は、任意の部分を折り返し重ねた紐を取付孔に通した所で、引掛け部の前記隙間に紐の折り返し部分を横方向に差込んで引掛け部に引掛けられた状態で紐が戻る方向に取付孔に引掛け部を通すことができ、かつ取付孔より形状寸法が大きい蓋部を通すことができないように構成されており、
引掛け部に引掛けられた紐を戻す方向に引っ張ることによって蓋部の下面が取付孔の周囲の面に掛り止まることで連結されることを特徴とする紐の引掛け具とその取付構造。
【請求項２】
前記取付孔の上部が、蓋部が容易に抜けない程度に固く嵌め合う穴形状に切り込まれていることを特徴とする請求項１の紐の引掛け具とその取付構造。
【請求項３】
引掛け部の前記隙間近くで、紐の横方向の位置に抜止め材を有することを特徴とする請求項１乃至請求項２の紐の引掛け具とその取付構造。
【請求項４】
自転車の荷台に取付けられる幼児用座席の座部中央のやや前寄りの位置に設けられた少なくとも１つの前記取付孔に、紐の両先端どうしが結合される結合手段を有し、紐の途中に長さ調整手段を有している紐の任意の部分を折り返し重ねて取付孔の下方から通した後、前記引掛け具によって連結し、紐のいずれかの先端を左右２つの内の少なくとも１つのシートステーの上部またはシートチューブまたはシートポストを巻き掛けしてから結合手段を結合することを特徴とする請求項１乃至請求項３の紐の引掛け具とその取付構造。
【発明の詳細な説明】
【技術分野】
【０００１】
本発明は、対象物をベルトなどの紐で連結するための構造に関するものである。例えば自転車の荷台の外れに伴う荷台自身と幼児用座席の転落を防止するための補助締結具を幼児用座席に連結する構造や自転車の荷台に取付けられる幼児用座席にシートベルトを連結する構造などが該当する。
【背景技術】
【０００２】
近年、自転車の荷台の連結部が破損して幼児用座席ごと脱落するという事故が発生しており、２００４年度からの５年間で１５件の報告があったという。この対策として、体重が２２ｋｇ程の幼児を乗せても問題のない強度を持った荷台（クラス２５の荷台）などが検討されてきた。さらに、万一荷台が外れても脱落しないようにするための補助締結具が検討され、高品位機種の幼児用座席には、補助締結具が標準装備されて販売されている。特許文献１に記載されている自転車の幼児用座席装置は、幼児用座席の座部前部とサドルを牽制具で連結し、荷台の後方移動を規制して、荷台のサドル側連結部にかかる負荷を軽減できるとあるが、これは幼児用座席が脱落しないようにするための補助締結具である。
【０００３】
特許文献１に記載されている自転車の幼児用座席装置の牽制具の第１例目においては、サドルポストに巻き掛けられた紐部材の先端ともう一方の先端が着脱自在な（雌雄）結合手段で結合されており、幼児用座席側では、座部前部の挿通孔を通して取付部に掛けられて連結されている（特許文献１の図１〜図３）。
第２例目の第１と第２紐部材から成る牽制具においては、一方の端がサドルポスト嵌合部材によって連結される第２紐部材の他方の端の（雌雄）結合手段によって着脱自在に結合される第１紐部材は、幼児用座席側において座部前部の取付部に螺子やリベットなどの留め具で連結されている。
第３例目の牽制具（特許文献１内では第４例目）においては、紐部材だけで構成されており、幼児用座席の座部前部の２つの挿通孔に紐部材の両端を同じ向きに揃えて通し、摩擦力で掛り止めによって幼児用座席の座部前部に連結されている。
【０００４】
市販されている幼児用座席のシートベルトの例を挙げて、幼児用座席に連結されている構造の例について説明する。シートベルトは股ベルト、腰ベルトで構成されるが、ヘッドガードがある場合は肩ベルトも必要とされる。
第１例目として、一方の端に腰ベルトや肩ベルトと結合するためのバックルを有する股ベルトの他方の端は、座部の挿通孔を通して座部下面に押し当てられ、螺子やリベットなどの留め具で連結されている例がある。
第２例目として、バックルと結合するためのタングを有する腰ベルトや肩ベルトは、背凭れ部の下方左右と上方左右のベルトが通れる位の寸法の挿通孔を通って背凭れ部の背面側において係止め具で保持されて背凭れ部に連結されている例がある。係止め具は、ベルトを巻いて保持する中心棒部材を内部に持ち、ベルトの引き込み口を持つほぼ円筒状のケースで構成されており、挿通孔を通過できない形状寸法になっている。
【０００５】
特許文献２（の図９、図１０）には、係止め具の別例が示されている。特許文献２はベルト長さ調整具に関する内容であるが、その技術を係止め具として適用している例である。その係止め具は、ベルトを巻き掛けするベルト係止片の両端部に、挿通窓（孔）に通されて窓（孔）の開口縁部に係合される係合突部を先端に持つ一対の係合突片を有している。ベルトの幼児用座席の背凭れ部へ連結する側の先端を環状に構成しておき、その先端のベルト環状部を挿通窓（孔）に通した後、係止め具を環状部に挿入して、挿通窓（孔）に係止め具の一対の係合突片が入るようにベルトを背凭れ前面側に引っ張ると、係合突部が挿通窓（孔）の開口縁部に係合されて、ベルトが幼児用座席の背凭れ部に連結されるというものである。
【先行技術文献】
【特許文献】
【０００６】
【特許文献１】実登３１５４７１２
【特許文献２】特開２０１２−５１４７１
【発明の概要】
【発明が解決しようとする課題】
【０００７】
特許文献１に記載されている幼児用座席の牽制具の第１例目と第２例目、市販されている幼児用座席のシートベルトの第１例目と第２例目は、いずれも一般ユーザーが容易に取付けられるものではなく、必要であるならば、製作段階で取付けておかなければならない構造のものである。
シートベルト（股ベルト、腰ベルト）は必ず必要なものであるが、肩ベルトはヘッドガードがない時は必要ではなく、補助締結具としての牽制具は必ず必要であるというところまでは規制されていないため、高品位機種だけに標準装備されているのが現状である。全ての機種に適用できるように肩ベルトや補助締結具をオプション扱いできれば一番良いが、上記の例は構造上それができないという問題がある。
特許文献１に記載されている幼児用座席の牽制具の第３例目は、一般ユーザーが容易に取付けられるものではあるが、材質の違う紐部材が使用されたり幼児用座席の脱落時に引っ張り力が違う方向からかかると摩擦力が変わってくるために、安定した保持力が得られないという問題がある。
特許文献２に記載されている幼児用座席のシートベルトの例は、ベルトを巻き掛けするベルト係止片の厚み寸法がそれなりにあるので、その部分が出ると差し障りがあるようなところ、例えば座部には使い難いという問題があり、また挿通窓（孔）の開口縁部に係合された係合突部を外し難いなど、係止め具を外したい時に外し難いという問題がある。
【０００８】
本発明はこれらの問題を解決するもので、ベルトなどの紐の取付け、取外しが容易にできて、かつベルトなどの紐を強固に保持して対象物を連結するためのベルトなどの紐の引掛け具を提供し、さらには幼児用座席の肩ベルトや補助締結具などをユーザーが取付けできるぐらいに取扱いの容易なもの、言い換えれば全ての機種に適用できるようにオプション扱いできるものを提供することを目的とする。
【課題を解決するための手段】
【０００９】
請求項１の発明の構成上の特徴と作用を示す。請求項１の発明は、対象物を紐で連結するための引掛け具とその取付構造であって、引掛け部と蓋部から成る引掛け具は、コの字形の引掛け部の一方の端が蓋部の下面と一体に繋がって、他方の端が蓋部の下面との間に少なくとも紐を通せる隙間を有しており、引掛け具が取付けられる取付面に設けた取付孔は、任意の部分を折り返し重ねた紐を取付孔に通した所で、引掛け部の前記隙間に紐の折り返し部分を横方向に差込んで引掛け部に引掛けられた状態で紐が戻る方向に取付孔に引掛け部を通すことができ、かつ取付孔より形状寸法が大きい蓋部を通すことができないように構成されており、
引掛け部に引掛けられた紐を戻す方向に引っ張ることによって蓋部の下面が取付孔の周囲の面に掛り止まるように作用して連結される。
また、引掛け具の隙間は取付孔の内側壁面によって塞がれるので紐が抜け出ることはない。
【００１０】
請求項２の発明の構成上の特徴と作用を示す。請求項２の発明は、前記取付孔の上部が、蓋部が容易に抜けない程度に固く嵌め合う穴形状に切り込まれて構成されており、少々の外力が下方から加わっても引掛け具が外れないように作用する。
【００１１】
請求項３の発明の構成上の特徴と作用を示す。請求項３の発明は、引掛け部の前記隙間近くで、紐の横方向の位置に抜止め材を有するように構成されており、などの紐の横方向への抜けを止めるように作用する。
【００１２】
請求項４の発明の構成上の特徴と作用を示す。請求項４の発明は、自転車の荷台に取付ける幼児用座席の座部中央のやや前寄りの位置に設けられた少なくとも１つの前記取付孔に、紐の両先端どうしが結合される結合手段を有し、紐の途中に長さ調整手段を有している紐の任意の部分を折り返し重ねて取付孔の下方から通した後、前記引掛け具によって連結し、紐のいずれかの先端を左右２つの内の少なくとも１つのシートステーの上部またはシートチューブまたはシートポストを巻き掛けしてから結合手段を結合するように構成されており、幼児用座席を取付けた荷台が影響を受け易い左右の振動などによって、荷台の連結部であるシートピン部やダボ止め部が破損しても荷台と幼児用座席が後方へ落下しないように作用する。
またこの紐の引掛け具とその取付構造であれば、結合手段や長さ調整手段が組み込まれたままで紐を引掛け具によって取付孔に取付けたり、取外したりできるものである。
【発明の効果】
【００１３】
本発明の紐の引掛け具とその取付構造によれば、紐の取付け、取外しが容易にできて、かつ紐を強固に保持でき、さらには肩ベルトや補助締結具などを結合手段や長さ調整手段が組み込まれたままで、幼児用座席に簡単に取付けたり、取外したりできるため、幼児用座席を購入した後でもユーザー自身が取付けできる、言い換えれば全ての機種に適用できるようにオプション扱いできるという効果がある。
【図面の簡単な説明】
【００１４】
【図１】実施例１のベルトの引掛け具とその取付孔を示す。
【図２】ベルト連結の手順を示す。
【図３】実施例２として、幼児用座席に適用する補助締結具を示す。
【図４】幼児用座席に取付けられた補助締結具を示す。
【図５】実施例３の幼児用座席の肩ベルトに適した引掛け具と取付孔を示す。
【図６】幼児用座席に取付けられた肩ベルトを示す。
【発明を実施するための形態】
【００１５】
使用する紐は、天然繊維製や合成繊維製の布、不織布製、樹脂製、皮製などの材質が考えられ、また形状寸法は、厚みと幅の比率が１対１程度の紐から１対２０，１対３０といった平帯状の紐なども考えられるが、耐環境性や引張り強度に優れたものがよい。現在、車のシートベルトや幼児用座席のシートベルトとして使われている紐が実情に即したものであり、これを実施例に挙げて説明する。以下実施例ではこれを「ベルト」と表記する。
【実施例１】
【００１６】
実施例１を図１と図２に基づいて説明する。図１はそのようなベルトを対象物１に連結するための引掛け具３とその引掛け具３を対象物１の面に嵌め込む取付孔２を示している。
図１の（ア）に示す引掛け具３には引掛け部３ａと蓋部３ｂがあってそれらが一体構成されており、引掛け部３ａはコの字形になっていて一方の端が蓋部３ｂの下面と一体に繋がり、他方の端は蓋部の下面との間にベルトを通すことができる隙間３ｃを持っている。
図１の（イ）に示す取付孔２は、ベルトが引掛けられた引掛け具３の引掛け部３ａが通過できる形状寸法で、対象物１を一方の面（上部側の面とする）から他方の面（下部側の面とする）に貫通する貫通部２ａを持っている。取付孔２の上部側は引掛け具３の蓋部３ｂが固く嵌め合う嵌合い部２ｂが穴形状に切り込まれており、切り込まれて一段低くなった面に蓋部３ｂの下面が掛り止まるので引掛け具３は取付孔２を通過できずに、やや固めに固定されるようになっている。
取付孔２に嵌め込まれた引掛け具３を取外す時は、取付孔２の上部にある溝２ｃをマイナス形ドライバーの先端のような細いものを入れて持ち上げたり、下部側から上部側に向かって引掛け部３ａを押し上げたりして取外すことができる。
【００１７】
図２は、ベルト４１を対象物１に連結する手順を示している。（１）任意の部分を折り返し重ねたベルト４１を対象物１の下部側から取付孔２に通し、その上部側に突き出たベルト４１の折り返し部分を引掛け具３の隙間３ｃに横方向に差込んで、（２）引掛け部３ａに引掛ける。（３）その状態のままで、引掛け具３の蓋部３ｂが取付孔２の嵌合い部２ｂに固く嵌め合うようにベルト４２を下部側に向けて引っ張り、引掛け具３を取付孔２に嵌め込ませて、ベルト４１を対象物１に連結する。
この時、引掛け具３の隙間３ｃは取付孔２の内側壁面によって塞がれるのでベルト４１が抜け出ることはない。
【００１８】
図１の（ウ）は、引掛け具の別例３Ａを示す。引掛け部３ａの隙間３ｃ近くに抜止め材３ｄを持っており、ベルト４１が横方向に隙間３ｃから抜け出るのを防止している。図示の抜止め材３ｄは小さくてよい弾性力を持ち、ベルト４１を隙間３ｃから差し込む時はベルト４１に押されて引掛け部３ａの内側に倒れてベルト４１が引掛け部３ａの中に差込まれた後、弾性力で蓋部３ｂの下面に当たる位置まで復帰し、ベルト４１が横方向に隙間から抜け出るのを防止する。ベルトを抜き出す時は抜止め材３ｄを引掛け部３ａの内側に倒すが、操作レバーがあると操作し易い。
取付孔２が位置する対象物の面の厚みが薄くて、取付孔２の内側壁面によって引掛け具３の隙間３ｃを充分に塞げない時に、この抜止め材３ｄは有効な方法である。
【実施例２】
【００１９】
実施例２を図３と図４に基づいて説明する。実施例２は、実施例１の引掛け具３と取付孔２を幼児用座席の脱落を防止する補助締結具に適用する具体的な例である。図３はその補助締結具の構成を示している。
幼児用座席の２箇所の部分でベルトを連結するために２つ取付け具３が使用される。ベルトは、両端の雌雄結合手段で結合され、長さ調整手段によってベルト長が調整され、張りが調整できるようになっている。
【００２０】
図４は自転車と幼児用座席を図３の補助締結具で連結する具体的方法を示している。２つの引掛け具３は、幼児用座席６の座部６１の中央のやや前寄りで左右の位置に、ハの字形に角度を持って設けられた取付孔２に上部側から取付けられる。従ってベルトは幼児用座席６の座部６１の下部側で引掛け具３の引掛け部３ａに引掛けられて連結されている。２つの引掛け部３ａの間のベルト４１は、荷台５１の外枠５１ａと内枠５１ｂの下側を通り、幼児用座席６の座部６１の下部側とベルト４１自身で荷台を挟むようにして張られている。雌形結合手段４３を有するベルト４１の一方の端は、右側の引掛け具３から張り出されてシートチューブ７３寄りで泥除け７４の上付近の右側シートステー７２に巻き掛けられ、さらに左側シートステー７１に巻き掛けられて、左側の引掛け具３から張り出されてくる雄形結合手段４２を有するベルト４１の他方の端と結合している。途中、長さ調整手段４４によってベルト長が調整されて張りが調整できるようになっている。
【００２１】
このように補助締結具４のベルト４１が、幼児用座席６の座部６１を左右に分かれて連結し、かつ自転車側においても左右シートステー７１、７２に分かれて巻き掛けられて連結することは、荷台の連結部であるシートピン部７５やダボ止め部７６やハブ側連結部５３が破損しても、脱落しようとする幼児用座席６を左右のバランスを維持するように作用しながら脱落を防止しようとするものである。
また左右シートステー７１、７２に分かれて巻き掛けられたベルト４１は、泥除け７７や（図にはないが）泥除け７７の上部近くの左右シートステー７１、７２に取付けられた後輪施錠装置によって確実に止められ、左右シートステー７１、７２の下の方にずれることはないので、幼児用座席６の後方への脱落をより確実に防止することができる。
【００２２】
補助締結具の自転車側との連結は、左右シートステー７１、７２で巻き掛けするのではなく、シートチューブ７３やシートポスト７４に巻き掛けする方法でもよい。また複数個所に巻き掛けする方法でもよい。例えば右側シートステー７２に巻き掛け、次にシートチューブ７３に巻き掛け、その後左側シートステー７１に巻き掛けるという具合に、複数個所で巻き掛けすると摩擦が大きくなって補助締結具４のベルト４１が滑り難くなるので、脱落しようとする幼児用座席６を左右のバランスをより安定に維持するように作用する。
【実施例３】
【００２３】
実施例３を図５と図６に示す。実施例３は、幼児用座席の背凭れ部のように斜角面にベルトを連結するのに適した引掛け具３Ｂとその取付孔２Ｂの例である。
図５に実施例３の幼児用座席の肩ベルトに適した引掛け具と取付孔を示す。引掛け具３Ｂとその取付孔２Ｂは、全ての構成部が幼児用座席の背凭れ部の斜角面に合うような斜角を持つ形状寸法になっているが、基本的には実施例１と同じである。背凭れ部の斜角面に連結する腰ベルトも同様である。
【００２４】
図６に、幼児用座席の背凭れ部に取付けられた肩ベルトを示す。ＳＧ規格にでは、ヘッドガードが取付けられる幼児用座席は股ベルトと腰ベルト、そして肩ベルトが必要であり、ヘッドガードが取付けられていない幼児用座席は股ベルトと腰ベルトがあればよいことになっている。ヘッドガードがオプションとして販売されている商品があり、肩ベルトもオプション扱いで販売される必要がある。図６の肩ベルトは、ユーザーでも簡単に後付けできるものである。
【００２５】
幼児用座席の背凭れ部に取付けらる腰ベルトも実施例３の引掛け具３Ｂと取付孔２Ｂが適用できる。
さらに股ベルトとしては、実施例１、２の引掛け具３、３Ａ及び取付孔２が適用できる。先端に雌形結合手段が取付けられたベルトを折り返し重ねて、幼児用座席の座部の中央前方にあけた左右に長い長孔（第１の孔）に上方から下部側に通した後、取付孔２である第２の孔において引掛け具３または３Ａを用いて連結するようにする。
【産業上の利用可能性】
【００２６】
本発明は、対象物をベルトなどの紐で連結する手段を適用する製品（例えば幼児用座席）を製造する産業で利用される。
【符号の説明】
【００２７】
１            対象物
２            取付孔
２Ｂ          取付孔  （実施例３）
２ａ          貫通部
２ｂ          嵌合い部
２ｃ        （取外し）溝
３            引掛け具
３Ａ          引掛け具の別例
３Ｂ          引掛け具（実施例３）
３ａ          引掛け部
３ｂ          蓋部
３ｃ          隙間
３ｄ          抜止め材
４            補助締結具
４Ｓ          肩ベルト
４１          ベルト
４２        （雄）結合手段
４３        （雌）結合手段
４４          長さ調整手段
５            後キャリア
５１          荷台
５１ａ        外枠
５１ｂ        内枠
５２          シートステー側連結部
５３          ハブ側連結部
６            幼児用座席
６１          座部
６２          背凭れ
６３          足乗せ部
６４          ヘッドガード
７            自転車
７１          左側シートステー
７２          右側シートステー
７３          シートチューブ
７４          シートポスト
７５          シートピン部
７６          ダボ止め部
７７          泥除け
【図１】
0005519738.tif 000002
【図２】
0005519738.tif 000003
【図３】
0005519738.tif 000004
【図４】
0005519738.tif 000005
【図５】
0005519738.tif 000006
【図６】
0005519738.tif 000007